(57)【要約】【課題】最近のカメラは様々な撮影機能を備えている。特にデジタルカメラでは多様である。そして、実際の撮影時に用いる機能によって電池消費量が大きく変化する。しかしながら、前記従来技術のカメラでは、現在の正確な電池残量を知ることができないという問題点があった。本発明の目的は、現在の電池残量を正確に知ることができるカメラを提供することである。【解決手段】請求項１に記載の発明は、充電可能な２次電池と該２次電池の電池残量を計測する計測部と前記電池残量を記憶する記憶部とを有する電池パックが装着され、該電池パックから電力供給を受けて作動するデジタルカメラであって、前記デジタルカメラの機能を構成する複数種類の機能と、制御部とを有し、該制御部は、前記各機能の作動に応じて前記電池パックから前記電池情報を受けることを特徴とするデジタルカメラである。【選択図】        図５
2004336336.tif 000002
【特許請求の範囲】
【請求項１】
電池と記憶部とを有する電池パックが装着され、該電池パックから電力供給を受けて作動するデジタルカメラであって、
前記デジタルカメラの機能を構成する複数種類の機能と、制御部と、記憶手段とを有し、
前記記憶手段は、前記機能の作動に応じて値が累積される累積情報を記憶し、
前記制御部は、前記機能の一つの作動に応じて前記累積情報を前記記憶部に伝達して記憶させると共に、前記記憶手段の累積情報をリセットし、
前記機能の他の一つの作動に応じて、前記累積情報を前記電池パックから読み込み、
前記読み込んだ累積情報と前記記憶手段が記憶した累積情報との和を求め、
前記累積情報の和を前記電池パックに伝達する前記累積情報とすることを特徴とするデジタルカメラ。
【請求項２】
請求項１に記載のデジタルカメラにおいて、
前記制御部は、最初に作動する前記機能の作動に応じて前記累積情報を前記記憶部から読み込み、最後に作動する前記機能の作動に応じて前記累積情報を前記記憶部に伝達することを特徴とするデジタルカメラ。
【請求項３】
請求項１に記載のデジタルカメラにおいて、
前記複数種類の機能には、画像撮影機能、モニタ表示機能、発光照明機能、ＡＦ機能、ズーム機能の少なくとも一つが含まれ、
前記累積情報には、撮影枚数、モニタ表示装置の累積ＯＮ時間、発光照明回数、累積ＡＦ作動時間、累積ズーム作動時間の少なくとも一つが含まれることを特徴とするデジタルカメラ。
【請求項４】
充電可能な２次電池と該２次電池の電池残量を計測する計測部と記憶部とを有し、前記電池残量を前記記憶部に記憶する電池パックが装着され、該電池パックから電力供給を受けて作動するデジタルカメラであって、
前記デジタルカメラの機能を構成する複数種類の機能と、制御部と、記憶手段と、表示部とを有し、
前記記憶手段は、前記機能の作動に応じて値が累積される累積情報を記憶し、
前記制御部は、前記機能の一つの作動に応じて前記累積情報を前記記憶部に伝達して記憶させると共に、前記記憶手段の累積情報をリセットし、
前記機能の他の一つの作動に応じて、前記電池残量と前記累積情報とを前記電池パックから読み込み、
前記各機能の作動に応じて前記電池残量を読み込んで前記表示部に表示すると共に、前記読み込んだ累積情報と前記記憶手段が記憶した累積情報との和を求め、
前記累積情報の和を前記電池パックに伝達する前記累積情報とすることを特徴とするデジタルカメラ。
【請求項５】
充電可能な２次電池と該２次電池の電池残量を計測する計測部と記憶部とを有し、前記電池残量を前記記憶部に記憶する電池パックと、
前記電池パックが装着され、該電池パックから電力供給を受けて作動するデジタルカメラと、
前記電池パックの２次電池を充電する充電装置とで構成されたデジタルカメラシステムにおいて、
前記デジタルカメラは、その機能を構成する複数種類の機能と、制御部と、記憶手段と、表示部をと有し、
前記記憶手段は、前記機能の作動に応じて値が累積される累積情報を記憶し、
前記制御部は、前記各機能の作動に応じて前記電池残量を読み込んで前記表示部に表示すると共に、
前記機能の一つの作動に応じて前記記憶部が記憶する前記累積情報を読み込み、
前記読み込んだ累積情報と前記記憶手段が記憶した累積情報との和を求め、
前記機能の他の一つの作動に応じて、前記和を前記電池パックに伝達すると共に記憶させ、同時に前記記憶手段の累積情報をリセットし、
前記充電装置は、前記電池パックの２次電池を充電したときに前記記憶部が記憶する前記累積情報をリセットすることを特徴とするデジタルカメラシステム。
【請求項６】
充電可能な２次電池と該２次電池の電池残量を計測する計測部と記憶部とを有し、前記電池残量を前記記憶部に記憶する電池パックと、
前記電池パックが装着され、該電池パックから電力供給を受けて作動する電子機器と、
前記電池パックの２次電池を充電する充電装置とで構成された電子機器システムにおいて、
前記電子機器は、前記電子機器の機能を構成する複数の機能と、制御部と、記憶手段と、表示部をと有し、
前記記憶手段は、前記機能が作動することにより変更される情報を記憶し、
前記制御部は、前記機能の一つの作動に応じて前記記憶部が記憶する前記情報を読み込み、
前記読み込んだ情報と前記記憶手段が記憶した情報とに基づいて、新たな内容の前記情報を生成し、
前記機能の他の一つの作動に応じて、前記新たな情報を前記電池パックに伝達すると共に記憶させ、同時に前記記憶手段の前記情報をリセットし、
前記充電装置は、前記電池パックの２次電池を充電したときに前記記憶部が記憶する前記情報をリセットすることを特徴とする電子機器システム。
【発明の詳細な説明】
【０００１】
【発明の属する技術分野】
本発明は、装着された電池で駆動されるデジタルカメラ及びデジタルカメラシステムに関する。更には、電池で駆動される電子機器に関する。
【０００２】
【従来の技術】
デジタルカメラを駆動する電池の電池残量を表示するデジタルカメラが公知であり、更には前記電池残量によって撮影可能な枚数を報知することができるデジタルカメラが例えば、下記公知文献によって知られている。
【０００３】
【公知文献１】特開２００１−１５４２５０号公報
スイッチがＯＮされると、二次電池への充電電流を充電量モニタ部で検出し、ＣＰＵはその検出した充電電流と充電時間とから充電量を算出し、その算出した充電量から撮影可能枚数を換算して表示部にそれを表示するカメラが開示されている。
【０００４】
【発明が解決しようとする課題】
最近のカメラは様々な機能を備えている。特にデジタルカメラでは多様である。そして、実際の撮影時に用いる機能によって電池消費量が大きく変化する。しかしながら、前記従来技術のカメラでは、前記電池がデジタルカメラのどのような機能によって消費されて現在の電池残量になったかを知ることができなかった。前記電池がデジタルカメラのどのような機能によって消費されたかが判れば、これを利用して有用な情報を作り出すことが可能となる。
【０００５】
本発明の目的は、前記電池がどのように消費されたかを知ることができるカメラ、更には、電池がデジタルカメラに着脱されても累積の前記情報を知ることができるデジタルカメラを提供することである。
【０００６】
【課題を解決するための手段】
請求項１に記載の本発明は、電池と記憶部とを有する電池パックが装着され、該電池パックから電力供給を受けて作動するデジタルカメラであって、前記デジタルカメラの機能を構成する複数種類の機能と、制御部と、記憶手段とを有し、前記記憶手段は、前記機能の作動に応じて値が累積される累積情報を記憶し、前記制御部は、前記機能の一つの作動に応じて前記累積情報を前記記憶部に伝達して記憶させると共に、前記記憶手段の累積情報をリセットし、前記機能の他の一つの作動に応じて、前記累積情報を前記電池パックから読み込み、前記読み込んだ累積情報と前記記憶手段が記憶した累積情報との和を求め、前記累積情報の和を前記電池パックに伝達する前記累積情報とすることを特徴とするデジタルカメラである。電池パックから読み込まれた累積情報にその後に作動した機能の累積情報が加算され、加算された結果の累積情報が電池パックに伝達される。
【０００７】
前記制御部は、最初に作動する前記機能の作動に応じて前記累積情報を前記記憶部から読み込み、最後に作動する前記機能の作動に応じて前記累積情報を前記記憶部に伝達する。例えば、電源ＯＮ時に前記累積情報を読み込み、電源ＯＦＦ時に前記累積情報を記憶部に伝達する。
【０００８】
前記複数種類の機能には、画像撮影機能、モニタ表示機能、発光照明機能、ＡＦ機能、ズーム機能の少なくとも一つが含まれ、前記累積情報には、撮影枚数、モニタ表示装置の累積ＯＮ時間、発光照明回数、累積ＡＦ作動時間、累積ズーム作動時間の少なくとも一つが含まれる。
【０００９】
請求項４に記載の本発明は、充電可能な２次電池と該２次電池の電池残量を計測する計測部と記憶部とを有し、前記電池残量を前記記憶部に記憶する電池パックが装着され、該電池パックから電力供給を受けて作動するデジタルカメラであって、前記デジタルカメラの機能を構成する複数種類の機能と、制御部と、記憶手段と、表示部とを有し、前記記憶手段は、前記機能の作動に応じて値が累積される累積情報を記憶し、前記制御部は、前記機能の一つの作動に応じて前記累積情報を前記記憶部に伝達して記憶させると共に、前記記憶手段の累積情報をリセットし、前記機能の他の一つの作動に応じて、前記電池残量と前記累積情報とを前記電池パックから読み込み、前記各機能の作動に応じて前記電池残量を読み込んで前記表示部に表示すると共に、前記読み込んだ累積情報と前記記憶手段が記憶した累積情報との和を求め、前記累積情報の和を前記電池パックに伝達する前記累積情報とすることを特徴とするデジタルカメラである。
【００１０】
請求項５に記載の本発明は、充電可能な２次電池と該２次電池の電池残量を計測する計測部と記憶部とを有し、前記電池残量を前記記憶部に記憶する電池パックと、前記電池パックが装着され、該電池パックから電力供給を受けて作動するデジタルカメラと、前記電池パックの２次電池を充電する充電装置とで構成されたデジタルカメラシステムにおいて、前記デジタルカメラは、その機能を構成する複数種類の機能と、制御部と、記憶手段と、表示部をと有し、前記記憶手段は、前記機能の作動に応じて値が累積される累積情報を記憶し、前記制御部は、前記各機能の作動に応じて前記電池残量を読み込んで前記表示部に表示すると共に、前記機能の一つの作動に応じて前記記憶部が記憶する前記累積情報を読み込み、前記読み込んだ累積情報と前記記憶手段が記憶した累積情報との和を求め、前記機能の他の一つの作動に応じて、前記和を前記電池パックに伝達すると共に記憶させ、同時に前記記憶手段の累積情報をリセットし、前記充電装置は、前記電池パックの２次電池を充電したときに前記記憶部が記憶する前記累積情報をリセットすることを特徴とするデジタルカメラシステムである。
【００１１】
請求項６に記載の本発明は、請求項５に記載の本発明のデジタルカメラを、前記電池パックで駆動される電子機器としたシステムである。
【００１２】
【発明の実施の形態】
図１は、本発明の第１の実施の形態例の概略構成を示すブロック図である。図１（ａ）において、１００はデジタルカメラ（以下、ＤＳＣという）であり、１１０は被写体を撮像するＤＳＣ機能部である。２００はＤＳＣ１００に装着され、ＤＳＣ機能部１１０に電力を供給する電池パックである。図１（ｂ）の３００は電池パック２００を充電する充電ユニットである。充電ユニット３００の充電部３１０は装着された電池パック２００を充電する。電池パック２００はＤＳＣ１００から取り出され充電ユニット３００に装着される。
【００１３】
図２はＤＳＣ１００の構成を詳細に示した図である。電池パック２００に含まれる構成以外の各構成はＤＳＣ機能部１１０の構成である。ＤＳＣ機能部１１０は、撮像部１１、画像処理部１１Ａ、モニタ表示部１２、ズーム制御部１３、ＡＦ制御部１４、ＡＥ制御部１５、発光照明部１６、内蔵記憶部１７、媒体記録／読み取り部１８、電源制御部１９、計時部２０、表示パネル部２１、前記各部が接続され前記各部を制御するシステムＣＰＵ（以下、ＣＰＵという）３０等で構成されている。撮像部１１は、絞りやシャッタ、合焦機構、ズーム機構を含む撮影光学系、撮像素子などが含まれる。画像処理部１１Ａは撮像部１１からの信号を処理して画像を生成する。前記画像処理部１１Ａはモニタ表示部１２に表示するための表示画像と、媒体記録／読み取り部１８に記録するための記録画像とを生成する。電源制御部１９は電池パック２００から供給される電力の前記各部への供給を制御する。ＣＰＵ３０はＤＳＣ１００の図示しないモード設定ダイアルの設定位置に応じて、ＤＳＣ１００を撮影モード又は再生モード等に設定する。ＤＳＣ１００は、更に、電池パック２００が装着される部分に、アースされた電気端子を備えている。
【００１４】
ＤＳＣ１００は撮影モードにおいてモニタ表示部１２に前記画像処理部１１Ａが生成した表示画像を表示する。前記表示画像には撮像素子が現在捉えている画像と撮影された画像とがある。前者は撮影のためのファインダ画像として用いられる。後者は撮影直後に、所定のＤＳＣ操作に応じて、又は自動的に表示され、所定の操作に応じて前者の画像表示に戻る。この画像は撮影結果を確認するために用いられる。
【００１５】
ズーム制御部１３は撮影者の図示しないズームスイッチの操作に応じて前記ズーム機構を駆動制御し、撮像素子が捕らえる被写体画像の倍率を変化させる。ＡＦ制御部１４は前記合焦機構を駆動制御して被写体に焦点を合わせる。ＡＥ制御部１５は被写体の明るさを測光し、これに応じて絞り及びシャッタを適切な露出量が得られる絞り値、シャッタ速度に設定する。発光照明部１６はＡＥ制御部１５の測光結果に応じて適切な露出を得るために必要な場合に発光して被写体を照明する。
【００１６】
内蔵記憶部１７は画像バッファ１７１と各種情報記憶部１７２とを含む。各種情報記憶部１７２は不揮発性メモリで構成されている。画像バッファ１７１はＤＳＣ１００への撮影操作に応じて前記画像処理部１１Ａが生成した記録画像を一時記憶する。媒体記録／読取部１８は装着された着脱自在な記憶媒体１８１に画像バッファ１７１に一時記憶された撮影画像を記録する。各種情報記憶部１７２はＤＳＣ１００に設定された各種の条件、例えば、基本設定条件、撮影機能条件、再生機能条件などを記憶する。
【００１７】
基本設定条件には、例えば、操作音のＯＮ／ＯＦＦ、無操作時の自動パワーＯＦＦ時間、モニタ表示部１２使用時のモニタ表示部１２の輝度選択、モニタ表示部１２への各種情報表示ＯＮ／ＯＦＦなどが含まれている。
【００１８】
撮影機能条件には、例えば、モニタ表示ＯＮ／ＯＦＦ、シングルＡＦモード／連続ＡＦモード、マルチエリア測光／スポット測光／中央重点測光、発光照明の自動発光／強制発光／不使用、画質モード及び記録データサイズ、ホワイトバランス条件、電池残量のモニタ表示ＯＮ／ＯＦＦ等が含まれる。なお、シングルＡＦ（Ｓ−ＡＦ）モードはシャッタ釦が半押されている時にのみオートフォーカスするモードであり、連続ＡＦ（Ｃ−ＡＦ）モードは撮影モードの間、常時オートフォーカスするモードである。マルチエリア測光／スポット測光／中央重点測光はＡＥ制御部による測光の方式である。画質モード及び記録画像サイズは、画像処理部１１Ａが記録画像を生成する際の画像処理条件、例えば画像圧縮率や画像サイズを決定する。
【００１９】
各種条件記憶部が記憶する前記各種の条件は前記各機能条件の選択肢から選択された一つである。制御部３０は、各種情報記憶部１７２に記憶された各機能条件に従って前記各部を制御し、撮影モードにおいて画像を撮影すると共に再生モードにおいて撮影画像を再生表示する。
【００２０】
各種情報記憶部１７２には、更に、前記各種の条件の選択肢の一つが夫々初期基本設定条件、初期撮影機能条件、初期再生機能条件として記憶されている。
計時部２０は、連続した期間の時間と、複数の期間の時間を累積した累積時間を複数、夫々独立に計時することができる。
【００２１】
ＤＳＣ１００は再生モードにおいて、記憶媒体１８１に記録された画像を読み出してモニタ表示部１２に表示する。
電池パック２００には、２次電池２０１と計測部２０２と記憶手段２０３とＣＰＵ２０４と充放電制御部２０６と表示部２０７とが含まれている。２次電池２０１は充電可能であり、具体的には、リチュウムイオン電池、ニッケル水素電池、ニッケルカドミウム電池などである。記憶手段２０３には２次電池２０１の満充電時の電池残量（仕様値）、充電終了時の電池残量、現在の電池残量（以下、単に電池残量と記すことがある）等の情報が記憶されている。ＣＰＵ２０４は計測部２０２、記憶手段２０３、充放電制御部２０６、表示部２０７が接続され２次電池２０１で駆動される。計測部２０２は、２次電池２０１からの出力電圧と出力電流又は２次電池２０１への入力電圧と入力電流、及び電池温度を計測する。
【００２２】
ＣＰＵ２０４は計測部２０２の一部としても機能し、前記出力電圧と出力電流とに基づいて２次電池２０１からの流出電気量を、前記入力電圧と入力電流とに基づいて２次電池２０１への流入電気量を算出し、記憶手段２０３に記憶されている現在の電池残量と前記流出／流入電気量とに基づいて新たな現在の電池残量、即ちこれから出力可能な電気量を求め、記憶手段２０３の電池残量を前記新たな現在の電池残量に更新・記憶する。前記電池残量は計測部２０２が計測した電池温度によって温度補償を加えたものとする。電池残量は電池温度が上昇すると増加し、低下すると減少するからである。更に、前記現在の電池残量の２次電池２０１の満充電時の電池残量に対する割合、即ち充電率を求め更新・記憶する。
【００２３】
充放電制御部２０５はＣＰＵ２０４からの指令に基づいて２次電池２０１から外部への給電や充電を開始／停止させる。
表示部２０７はＣＰＵ２０４からの指令に応じて電池パック２００の状態などを表示する。前記電池パック２００の状態には前記電池残量や充電率が含まれる。
【００２４】
電池パック２００は、装着相手を検知するための装着検知手段２０５を更に備える。装着検知手段２０５は装着相手の電気端子と接続される電気端子を有し、該電気端子の電位を検出する。該検出された電位に基づいて、ＣＰＵ２０４は電池パック２００が装着された相手を検知する。ＤＳＣ１００が備える前記アースされた電気端子は装着検知手段２０５の電気端子と接続される。
電池パック２００のＣＰＵ２０４と電池パック２００が装着されたＤＳＣ１００のＣＰＵ３０とは各種の情報を授受する。ＣＰＵ３０はＣＰＵ２０４を介して記憶手段２０３に記憶された電池残量を示す情報を入手して表示パネル部２１に表示する。ＤＳＣ１００に設定される表示条件に応じてモニタ表示部１２にも表示する。その場合、表示画像に重畳させて表示する場合もある。
図３は充電ユニット３００の詳細を示した図である。充電ユニット３００の充電部３１０は充電回路３１１と充電制御部３１２とＣＰＵ３１３とを備える。ＣＰＵ３１３は充電制御部３１２に指令して充電回路３１１を制御させると共に、充電ユニット３００の所定の位置に装着された電池パック２００のＣＰＵ２０４と各種の情報を授受する。充電ユニット３００の所定の位置に装着された電池パック２００は充電部３１０によって充電される。充電回路３１１は商用電源から電力を受け、２次電池２０１の充電に適した電圧、電流を電池パック２００に供給する。充電制御部３１２には装着された電池パック２００の装着検知手段２０５の電気端子と接続される電気端子が含まれている。充電制御部３１２の電気端子は所定の電位とされている。
【００２５】
さて、電池パック２００のＣＰＵ２０４は常時、所定の周期で装着検知手段２０５の電気端子の電位を監視している。ＣＰＵ２０４は前記検出された電位が０Ｖである時、装着相手はＤＳＣ１００であると判断し、前記所定の電位である時、充電ユニット３００であると判断する。電位が検出されないときは何にも装着されていないと判断する。そして、ＣＰＵ２０４は、ＤＳＣ１００に装着されたと判断した時には充放電制御部２０６に指令して２次電池２０１からの給電を開始させる。実際の給電はＤＳＣ１００の電源スイッチがＯＮにされたときに開始される。ＣＰＵ２０４が充電ユニット３００に装着されたと判断した時には充放電制御部２０５に指令して２次電池２０１が充電を受けることができようにさせる。前記検出・判断は常時行われているので、ＣＰＵ２０４は装着相手から外されたことも検知する。そして、その時の電池残量を充電終了時の電池残量として記憶手段２０３に記憶させる。その後、充放電制御部２０５に指令して給電や充電に用いる端子を電池パック２００の内部回路から切り離させて給電や充電の受入を停止させる。その結果、短絡が防止することができる。
次に、ＤＳＣ１００の内部動作をＣＰＵ３０の処理を中心として説明する。図４、図５はＣＰＵ３０の処理の手順を示した図である。図４の手順と図５の手順は一連の手順であるが、図示の都合上分割して示した。まず、図４を参照して説明する。ＤＳＣ１００の電源スイッチがＯＮにされると図４の処理が開始される。
【００２６】
ステップ１（図中では各ステップをＳ１等と記す）において、電池パック２００の記憶手段２０３から電池残量Ｒを読み込む。同時に、充電終了時の電池残量も読み込み各種情報記憶部１７２に記憶させる。既に記憶したものがあれば更新記憶させる。なお、（  ）内に示したＤＳＣ情報の読み込みについては後述する。
【００２７】
ステップ２において、読み込んだ電池残量Ｒが、ＤＳＣ１００が少なくともその機能の一部は作動させることができる第１の所定値以上であるか否かが判断される。第１の所定値以上であればステップ３に進み、第１の所定値未満であればステップ１３に進み「電池残量が不足している」旨のエラー表示を所定時間表示した後、ステップ１４で前記電源スイッチをＯＦＦにして処理を終了する。
【００２８】
ステップ３において、ＤＳＣ１００の各部を基本初期設定する。基本初期設定には各種情報記憶部１７２に記憶された基本初期設定条件が用いられる。ＤＳＣ１００に初期設定された基本初期設定条件は、ＤＳＣ１００を所定操作することにより変更される。そして、更に所定の操作をすることにより各種情報記憶部１７２の基本初期設定条件が変更後の条件に更新記憶される。
【００２９】
ステップ４において、計時部２０による第１の計時を開始させる。前記第１の計時は、ＤＳＣ１００の作動時間（ＤＳＣ作動時間）の計時である。ＤＳＣ作動時間の計時はＤＳＣ１００の電源スイッチがＯＦＦにされるまで継続される。以下、図５を参照して説明する。
【００３０】
ステップ５において、ＤＳＣ１００の動作モードを選択する前記モード選択ダイアルが設定されているモードを判断し、設定されている各モードに応じた処理に進む。例えば、撮影モードであればステップ６に、再生モードであればステップ１６に進む。
【００３１】
ステップ６において、ＤＳＣ１００を撮影モードで立ち上げる。ステップ６の処理の詳細は後述する。
ステップ７において、ＤＳＣ１００は撮影モード処理、即ち撮影者のＤＳＣ操作に応じて画像撮影に関する各種機能を実行する。
【００３２】
ステップ８において、撮影モードが継続されているか否かを判断する。モード設定ダイアルが撮影モードのままであれば継続と判断し、ステップ７に戻って撮影モード処理を継続する。撮影モード継続でないと判断された時はステップ９に進む。撮影モード継続でないと判断されるのは、モード選択ダイアルが他のモード、例えば再生モードに変更されていた場合である。
【００３３】
ステップ９において、撮影モード終了処理を行う。撮影モード終了処理では従来のＤＳＣで撮影モード終了時に行われる処理と同様の処理が行われる。その処理内容は公知であるので説明を省略する。なお、撮影モード中にＤＳＣ１００の電源スイッチがＯＦＦにされると、これに応じて生成され入力された割り込み指令５０によりステップ９の処理が行われる。
【００３４】
ステップ１０において、電源スイッチがＯＦＦにされたか否か、即ち割り込み指令５０が入力されたか否かを判断する。入力されていればステップ３０に進み従来のＤＳＣと同様の終了処理をして電源をＯＦＦにする。そうでなければステップ１１で電池残量Ｒを読み込んだ後ステップ５に戻り、モード選択ダイアルが変更されたモードの立ち上げ処理に進む。例えばモード選択ダイアルが再生モードに変更された場合にはステップ１６に進む。
【００３５】
一方、ステップ５でモード選択ダイアルが再生モードに設定されていたときには、ステップ１６において、ＤＳＣ１００を再生モードで立ち上げる。ステップ１６の処理の詳細は後述する。
【００３６】
ステップ１７において、ＤＳＣ１００は再生モード処理、即ち撮影者のＤＳＣ操作に応じて撮影画像再生に関する各種機能を実行する。
ステップ１８において、再生モードを継続するか否かを判断する。モード設定ダイアルが再生モードのままであれば継続と判断し、ステップ１７に戻って再生モード処理を継続する。再生モード継続でないと判断された時はステップ１９に進む。再生モード継続でないと判断されるのは、モード選択ダイアルが他のモード、例えば撮影モードに変更されていた場合である。
【００３７】
ステップ１９において、再生モード終了処理を行う。再生モード終了処理では従来のＤＳＣで再生モード終了時に行われる処理と同様の処理が行われる。その処理内容は公知であるので説明を省略する。なお、再生モード中にＤＳＣ１００の電源スイッチがＯＦＦにされるとこれに応じて生成され入力された割り込み指令５０によりステップ１９の処理が行われる。
【００３８】
ステップ２０において電源スイッチがＯＦＦにされたか否かを判断する。ＯＦＦにされていればステップ３０に進み終了処理をして電源をＯＦＦとする。終了処理の詳細は後述する。そうでなければステップ２１で電池残量Ｒを読み込んだ後ステップ５に戻り、モード選択ダイアルが変更されたモードの立ち上げ処理に進む。例えばモード選択ダイアルが撮影モードに変更された場合にはステップ６に進む。
【００３９】
ステップ６の撮影モード立ち上げ処理の手順を図６に、ステップ１６の再生モード立ち上げ処理の手順を図７に示した。
なお、ステップ１１、ステップ２１の電池残量読込に代えて又は加えて、撮影モード処理や再生モード処理における各種処理又はその一部、例えば撮影モードでのシャッタ釦全押しに応じて行われる撮影処理、発光照明部１６の発光、再生モードでの表示画像選択処理など、電池消費量が多い処理が終了した時に電池残量Ｒを読み込むようにしても良い。図６、図７において説明する電池残量表示がより正確になる。
図６の撮影モード立ち上げの処理（図５のステップ６）が開始されると、ＣＰＵ３０はステップ１において、撮影モードのための初期設定を行う。撮影モードのための初期設定には各種情報記憶部１７２に記憶された初期撮影機能条件が用いられる。撮影機能条件には前述のようにモニタ表示ＯＮ／ＯＦＦ、シングルＡＦモード／連続ＡＦモード、マルチエリア測光／スポット測光／中央重点測光、発光照明の自動発光／強制発光／不使用、画質モード及び記録データサイズ、ホワイトバランス条件、電池残量のモニタ表示ＯＮ／ＯＦＦ等が含まれている。ここでは、前記各条件の／で区切られた選択肢の内、最先のものが初期撮影機能条件として各種情報記憶部１７２に記憶されているものとする。
【００４０】
ＤＳＣ１００に初期設定された各撮影機能条件は、後の撮影モードにおけるＤＳＣ１００に対する所定の操作等によって変更される。そして、更に所定の操作をすることにより各種情報記憶部１７２の初期撮影機能条件が前記変更された撮影機能条件に更新記憶される。
【００４１】
ステップ２において、前記の如く初期設定された撮影機能条件に基づいてＤＳＣ１００が立ち上がる。その際、撮影機能条件に含まれるモニタ表示部ＯＮ／ＯＦＦ条件及び電池残量Ｒに応じてモニタ表示部１２がＯＮ又はＯＦＦとされる。即ち、
ステップ３において、モニタ表示部ＯＮ／ＯＦＦのいずれに設定されているかが判断される。ＯＮに設定されている場合はステップ４に進み、ＯＦＦに設定されている場合はステップ７に進む。
【００４２】
ステップ４において、図４のステップ１又は図５のステップ１１若しくはステップ２１で読み込んだ電池残量Ｒに基づく判断が行われる。図５のステップ１１若しくはステップ２１で読み込んだ電池残量Ｒは図４のステップ１で読み込んだ電池残量Ｒよりも、その間のＤＳＣ１００による電池消費量分だけ少ない。
【００４３】
電池残量Ｒがモニタ表示部１２を用いた撮影に必要な第２の所定値以上であればステップ５に進み、前記第２の所定値未満ではあるがモニタ表示部１２を用いなければ撮影可能な第３の所定値以上であればステップ２５に進んでモニタ表示部１２をＯＦＦにし、更にステップ２６でモニタ表示部１２を使用しての撮影には電池残量不足であることを表示パネル部２１に表示してステップ７に進む。なお、第２の所定値は前記第１の所定値よりも大きい。前記第３の所定値未満である場合にはステップ１５に進んでモニタ表示部１２をＯＦＦとし、ステップ１６において電池残量不足で撮影不可能である旨のエラー表示を表示パネル２１に表示して処理を終了する。
【００４４】
ステップ５において、計時部２０による第２の計時を開始させる。前記第２の計時は、モニタ表示部１２の作動時間（モニタＯＮ時間）の累積時間（累積モニタＯＮ時間）の計時である。モニタＯＮ時間の計時（モニタＯＮ計時）は撮影モードが終了されるか、ＤＳＣ１００の電源スイッチがＯＦＦにされるまで継続される。撮影モードの途中でモニタ表示部１２がＯＦＦにされた場合はモニタＯＮ計時を中断し、再度ＯＮにされたときに計時を再開して累積モニタＯＮ時間を計時する。
【００４５】
後述するように、再生モード処理においてもモニタＯＮ時間を計測する。前記累積モニタＯＮ時間には再生モード処理におけるモニタＯＮ時間も累積される。即ち、ＤＳＣ１００の電源スイッチがＯＮにされてからの前記モニタＯＮ時間の累計時間が計時される。
【００４６】
ステップ６において、電池残量Ｒをモニタ表示部１２に表示する。
ステップ７において、前記電池残量Ｒを表示パネル部２１に表示する。
以上の撮影モード立ち上げ手順実行の後、図４のステップ７の撮影モード処理を実行する。
【００４７】
撮影モード処理（図５のステップ７）を説明する。撮影モード処理においては、従来のＤＳＣで撮影時に行われる処理と同様の処理が行われる。その処理内容は公知であるので詳述しないが、例えば、撮像部１１が捉えた画像をリアルタイムにモニタ表示部１２に表示する。この表示画像はファインダ画像として用いられる。前記表示画像は、モニタ表示ＯＦＦとされている場合には表示されない。
【００４８】
図示しないＤＳＣのシャッタ釦が半押しされるとＡＦ制御部１４によるＡＦ処理及びＡＥ制御部１５による測光処理が行われ、シャッタ釦が全押しされると撮影処理が行われる。即ち、シャッタ釦の半押しに応じて、ＡＦ制御部１４により被写体に焦点が合わされ、ＡＥ制御部１５により絞りとシャッタ速度が前記測光処理の結果に応じた値とされ、必要に応じて発光照明部１６が発光されると共に、シャッタ釦が全押しされたときの画像から記録画像とその再生表示用画像とサムネイル画像とが画像処理部１１Ａにより生成され、画像バッファ１７１に記憶され、媒体記録／読取部１８の記憶媒体１８１に記録される。前記記録画像は前記撮影機能条件に含まれる画質モード及び記録データサイズ、ホワイトバランス条件などに基づいて処理された画像である。再生表示用画像はモニタ表示部１２の性能に合わせて作成された小サイズの画像、サムネイル画像は一覧表示用のより小サイズの画像である。
【００４９】
なお、前述の如く、撮影モード処理や再生モード処理における各種処理又はその一部の処理が終了した時に電池残量Ｒを読み込むようにした場合にはその都度、図６のステップ４以降、又は図７のステップ３以降の処理も行うようにする。
図７の再生モード立ち上げの処理（ステップ１６）が開始されると、ＣＰＵ３０はステップ１において、再生モードのための初期設定を行う。再生モードのための初期設定には各種情報記憶部１７２に記憶された初期再生機能条件が用いられる。再生機能条件には例えば、サムネイル画像表示時に同時表示する画像数や連続再生時の再生時間間隔等が含まれている。ＤＳＣ１００に初期設定された各初期再生機能条件は、後の再生モードにおけるＤＳＣ１００に対する所定の操作等により変更される。そして、更に所定の操作をすることにより各種情報記憶部１７２の初期再生機能条件が前記変更された再生機能条件に更新記憶される。
【００５０】
ステップ２において、前記の如く初期設定された再生機能条件に基づいてＤＳＣ１００が立ち上がる。その際、電池残量Ｒに応じてモニタ表示部１２がＯＮ又はＯＦＦとされる。即ち、
ステップ３において図４のステップ１において又は図５のステップ１１若しくはステップ２１読み込んだ電池残量Ｒが再生モードの実行が可能な第４の所定値以上であるか否かが判断される。図５のステップ１１若しくはステップ２１で読み込んだ電池残量Ｒは図４のステップ１で読み込んだ電池残量Ｒよりも、その間のＤＳＣ１００による電池消費量分だけ少ない。第４の所定値以上であればステップ４に進み、第４の所定値未満であればステップ１４に進む。
【００５１】
ステップ４において、計時部２０による前記第２の計時、即ち前記累積モニタＯＮ時間の計時を開始させる。前記モニタＯＮ時間の計時は再生モードが終了されるか、ＤＳＣ１００の電源スイッチがＯＦＦにされるまで継続される。
【００５２】
前述のように、撮影モード処理においても累積モニタＯＮ時間が計測される。前記累積モニタＯＮ時間には撮影モード処理におけるモニタＯＮ時間も累積される。即ち、ＤＳＣ１００の電源スイッチがＯＮにされてからの前記モニタＯＮ時間の累計時間が計時される。
【００５３】
ステップ５において、電池残量Ｒをモニタ表示部１２に表示する。
ステップ６において、前記電池残量Ｒを表示パネル部２１に表示する。
以上の再生モード立ち上げ手順実行によりＤＳＣ１００は撮影画像の再生可能な状態になる。
【００５４】
ステップ３において電池残量Ｒが第４の所定値未満である場合には、以下の処理を行う。
ステップ１４においてモニタ表示部１２をＯＦＦとし、
ステップ１５において前記電池残量Ｒを表示パネル部２１に表示する。そして、
ステップ１６において電池残量が不足している旨のエラー表示をして処理を終了する。
【００５５】
次に、再生モード処理（図５のステップ１７）を説明する。再生モード処理においては、従来のＤＳＣで再生時に行われる処理と同様の処理が行われる。その処理内容は公知であるので詳述しないが、例えば、記憶媒体１８１に記録された画像を読み出してモニタ表示部１２に表示する。その際、記録画像に対応して作成されたサムネイル画像を再生機能条件に設定された所定数ずつ表示する。そして所定の操作で任意の画像を選択させ、これに対応する再生用画像を表示させる。また、表示された画像に対応する記録画像に対してプリントの要否を示すフラッグを設定することができる。表示された画像の撮影条件などを重畳させて表示することができる。
さて、本実施の形態例の記憶部２０３はＤＳＣに関する情報を記憶している。前記ＤＳＣに関する記憶は後述するＤＳＣ１００の終了処理においてＣＰＵ３０が記憶させる。前記ＤＳＣに関する情報には累積半押し時間、撮影枚数、発光照明部１６の発光回数、累積ズーム作動時間、モニタＯＮ時間、ＤＳＣ作動時間等が含まれる。なお、記憶部２０３が記憶している前記ＤＳＣに関する情報は、２次電池２０１が十分に、例えば充電率８５％以上に充電されたときにリセットされる。
そして、ＤＳＣ１００のＣＰＵ３０は、図８に示したようなＤＳＣに関する情報の処理を行う。即ち、
ステップ１において、前記ＤＳＣに関する情報を読み込んで各種情報記憶部１７２に読み込み情報として記憶させる。この処理は、図４のステップ１で電池残量を読み込むときに行われる。
【００５６】
ステップ２において、シャッタが半押しされた時間（半押し時間）を計時部２０によって計時させ、その累積時間（累積半押し時間）を各種情報記憶部１７２に今回情報として記憶させる。前記累積半押し時間にシャッタが全押しされた時間も含めることが好ましい。この場合、累積計算は、例えばＣＰＵ３０が行う。なお、撮影機能条件として連続ＡＦモードが設定された場合は撮影モードである時間の累積時間を各種情報記憶部１７２に記憶させる。
【００５７】
更に、シャッタが全押しされた回数、即ち撮影枚数を計数し各種情報記憶部１７２に今回情報として記憶させる。また、発光照明部１６の発光回数を計数し各種情報記憶部１７２に今回情報として記憶させる。ズーム制御部１３の作動時間（ズーム作動時間）を計時部２０に計時させ、各種情報記憶部１７２にその累積時間（累積ズーム作動時間）を今回情報として記憶させる。
【００５８】
これら今回情報の蓄積は、ＤＳＣ１００への各種の操作やＤＳＣ１００の各機能の作動に応じて随時行われる。前記累積半押し時間や累積ズーム作動時間は計時部２０のみで計時しても良い。
【００５９】
ステップ３において、前記読込情報と前記今回情報との和、即ちＤＳＣに関する情報の現在の状態を示す現在情報を求める。
ステップ２とステップ３とは、図５のステップ７の撮影モード処理及びステップ１７の再生モード処理と同時に行われる。
【００６０】
ステップ４において、電源スイッチがＯＦＦにされている否かを判定し、ＯＦＦにされていなけれステップ２に戻り、ＯＦＦにされていればステップ５に進む。
【００６１】
ステップ５において、前記現在情報を電池パック２００のＣＰＵ２０４に伝達する。そして、ＣＰＵ２０４を介して記憶手段２０３にこれらＤＳＣに関する情報を更新記憶させる。そして、
ステップ６において、計時部２０、各種情報記憶部１７２のこれらの値をゼロにリセットする。
【００６２】
ステップ５及びステップ６は、図５のステップ３０の終了処理と同時に行われる。
前述のように、電池パック２００が記憶しているＤＳＣに関する情報は２次電池２０１が充電されたときにリセットされるので、記憶手段２０３が記憶しているＤＳＣに関する情報は、電池パック２００が充電されたときからの累積半押し時間、撮影枚数、発光照明部１６の発光回数、累積ズーム作動時間、モニタＯＮ時間、ＤＳＣ作動時間等である。
ＤＳＣ１００は、前記ＤＳＣに関する情報を利用した処理を行い、ＤＳＣ１００の使用者に有益な各種の情報を提供する。その処理の詳細は後述する。
【００６３】
なお、前記ＤＳＣに関する情報を読み込む時、最初に電池残量Ｒのみを読み込み、該電池残量Ｒが第１の所定値又は第３の所定値以上であると判断したときに前記ＤＳＣに関する情報を読み込むようにしても良い。
【００６４】
ＤＳＣ１００が、前記ＤＳＣに関する情報を利用しＤＳＣ１００の使用者に提供する有益な情報の一例を説明する。
ＣＰＵ３０は、ＤＳＣ１００への所定の操作に応じて電池残量Ｒを読み込む。そして、図４のステップ１で読み込んだ充電終了時の電池残量と前記電池残量Ｒとから求めた電池消費量と、前記現在情報中に含まれる現在の撮影枚数とから、撮影画像１枚当たりの電池消費量（実績値）を算出し、該撮影画像１枚当たりの電池消費量であと何枚の撮影が可能か、撮影可能枚数を推定してモニタ表示部１２に表示する。更に、電池パック２００のＣＰＵ２０４を介して記憶手段２０３に記憶させると共に表示部２０７に表示させる。表示部２０７への前記表示により、電池パック２００がＤＳＣ１００から取り外されても、電池パック２００単独で前記撮影可能枚数を確認することができる。予備の電池パックがある場合、適切な電池残量がある電池パックを選択することができる。
【００６５】
画像を１枚撮影するための電池消費量は、該画像撮影中の表示モニタ１２のＯＮ時間（構図決定に要する時間及び撮影画像を確認する時間に関連する）、シャッタボタン半押し時間（ＡＦ動作時間に相当する）、ズーム作動時間等によって変化する。そして、撮影者により、その長短、多少にある程度の傾向がある。発光照明部１６の発光の有無は撮影時間帯や撮影場所の照明状態によって決まる。従って、同じ撮影者がそれまでと同様の撮影行動によって撮影するのであれば、撮影１枚当たりの電池消費量も大きくは変化しない。従って前記のような場合に前記推定は良好な結果をもたらす。
【００６６】
デジタルカメラのメーカーが想定した標準的撮影行動パターンの場合の理論電池消費量を用いて前記撮影可能枚数を求めることもできるが、前記による推定は実際の撮影枚数とこれに対する電池消費量（実績値）とに基づいて行われるので前述のような撮影者毎の撮影行動性行が反映され、より的確な推定結果が得られる。
【００６７】
さて、前述のようにＣＰＵ３０はＤＳＣ１００の電源がＯＮとされたときに電池残量Ｒを読み込んで電池残量Ｒをチェックするが、その電池残量Ｒが所定値未満であったときにも前記推定を行い、その結果をモニター表示部１２や表示パネル部２１に表示する。前記表示が電池残量Ｒが少なくなったことの警告となる。特に、モニタ表示部１２への表示を撮影画像に重畳させて表示すれば有効である。所定値以上であった時には前記推定を行わずに処理を終了する。所定値以上であれば、残り撮影可能枚数を気にする必要は無いからである。
【００６８】
更に、前記終了処理（図５のステップ３０）においても前記撮影可能枚数を求める処理を行う。前記撮影可能枚数の表示をする時には、同時に警告音や警告振動を発生させて視覚以外の方法によって報知することが好ましい。ＤＳＣ１００の使用を終了する時に、現在の電池残量による撮影可能枚数を確認でき、次にＤＳＣ１００を使用する時までに電池パック２００を充電することが必要か否かを的確に判断することができる。ＤＳＣ１００の使用開始時に初めて電池残量不足が判明して、目的とする撮影ができないという事故を防止することができる。なお、終了処理において求めた撮影可能枚数は、その多少に関わらず、前述したようにして表示部２０７にも表示させることが好ましい。また、終了処理時に求めた撮影可能枚数を電池パック２００の表示部２０７に表示させることはＤＳＣに限られず、銀塩フィルムカメラにおいても前記説明の趣旨に沿った処理を行うことにより可能であり、且つ同様の効果をもたらすものである。
【図面の簡単な説明】
【図１】本発明のシステム構成の概略を示した図。
【図２】図１のシステムのＤＳＣの構成を示した図。
【図３】図１のシステムの充電ユニットの構成を示した図。
【図４】ＤＳＣの動作手順を示したフローチャートの前半。
【図５】ＤＳＣの動作手順を示したフローチャートの後半。
【図６】撮影モード立ち上げの処理手順を示したフローチャート。
【図７】再生モード立ち上げの処理手順を示したフローチャート。
【図８】ＤＳＣに関する情報の処理手順を示したフローチャート。
【図９】撮影条件別撮影可能枚数を示すモニタ表示部への表示例の図。
【符号の説明】
１２………モニタ表示部
１７………内蔵記憶部
２０………計時部
２１………表示パネル部
３０………システムＣＰＵ
１００……ＤＳＣ
１７１……各種情報記憶部
２００……電池パック
２０１……２次電池
２０２……計測部
２０３……記憶手段
２０４……ＣＰＵ
２０５……装着検知手段
３００……充電ユニット
３１１……充電回路
３１２……充電制御部
３１３……ＣＰＵ
【図１】
2004336336.tif 000003
【図２】
2004336336.tif 000004
【図３】
2004336336.tif 000005
【図４】
2004336336.tif 000006
【図５】
2004336336.tif 000007
【図６】
2004336336.tif 000008
【図７】
2004336336.tif 000009
【図８】
2004336336.tif 000010
【図９】
2004336336.tif 000011